(57)【要約】      （修正有）【課題】清掃効率を向上させることができる清掃シート、および当該清掃シートが装着された清掃用具を提供する。【解決手段】ヘッド１１０に着脱可能な清掃シート２００が構成される。清掃シート２００は、ヘッド１１０に取り付けられた状態で、ヘッド１１０の下面に対応して配置される清掃領域と、ヘッド１１０の下面から離隔し、当該下面に平行な方向Ａに沿ってヘッドの側面から突出して配置される短冊形状部を有する構成である。【選択図】図１
2013255710.tif 000002
【特許請求の範囲】
【請求項１】
被装着体に着脱可能な清掃シートであって、
当該清掃シートが前記被装着体に取り付けられた状態で、前記被装着体の底面に対応して配置される清掃部と、前記底面から離隔し、前記底面に平行な第１方向に沿って前記被装着体の側部から突出して配置される突出部を有することを特徴とする清掃シート。
【請求項２】
請求項１に記載の清掃シートであって、
前記突出部は、前記第１方向に延在する複数の長尺部を有することを特徴とする清掃シート。
【請求項３】
請求項２に記載の清掃シートであって、
前記長尺部は、短冊形状に形成されていることを特徴とする清掃シート。
【請求項４】
請求項３に記載の清掃シートであって、
前記短冊形状における少なくとも一方の側部は、ジグザグ形状に形成されていることを特徴とする清掃シート。
【請求項５】
請求項１〜４のいずれか１項に記載の清掃シートであって、
前記清掃シートは、１枚のシートから構成されており、
前記シートには、切り込み線が形成されており、
前記突出部は、前記シートの前記切り込み線で囲まれる内側部分が、前記切り込み線の外側部分から分離されて構成されていることを特徴とする清掃シート。
【請求項６】
請求項１〜４のいずれか１項に記載の清掃シートであって、
前記清掃部を構成する第１シートと、
前記突出部を構成する第２シートを有することを特徴とする清掃シート。
【請求項７】
請求項６に記載の清掃シートであって、
前記突出部は、カンチレバー剛軟度が５０ｍｍ以上１５０ｍｍ以下であることを特徴とする清掃シート。
【請求項８】
請求項１〜７のいずれか１項に記載の清掃シートが着脱可能に取り付けられる被装着体と、当該被装着体に連接され、ユーザに把持される把持部とを有する清掃シート保持具と、
前記被装着体に取り付けられた前記清掃シートと、を備えた清掃用具。
【請求項９】
請求項８に記載の清掃用具であって、
前記把持部は、前記被装着体に連接された連接部と、当該連接部と反対側の先端部とを有し、前記先端部が前記被装着体に対して当該被装着体の底面に平行な第２方向に相対移動することで、前記連接部を支点として前記被装着体に対して旋回可能に構成されており、
当該清掃用具は、前記清掃シートが前記被装着体に取り付けられた状態で、前記被装着体が前記第２方向に沿って移動することで、被清掃領域に対して清掃作業が行われる構成であり、
前記清掃シートの前記突出部が突出する前記第１方向と、前記被装着体が移動する前記第２方向が一致していることを特徴とする清掃用具。
【請求項１０】
請求項９に記載の清掃用具であって、
前記被装着体は、前記第２方向と交差する第１の側面と、当該第１の側面に対向する第２の側面を有し、
前記清掃シートが前記被装着体に取り付けられた状態で、前記突出部は、前記第１の側面から突出して配置される第１突出部と、前記第２の側面から突出して配置される第２突出部の少なくとも一方の突出部を有する構成であることを特徴とする清掃用具。
【請求項１１】
請求項１０に記載の清掃用具であって、
前記清掃シートが前記被装着体に取り付けられた状態で、前記突出部の先端は、当該突出部に対応する前記被装着体の側面から前記第１方向における離間距離が１０ｍｍ以上５０ｍｍ以下であることを特徴とする清掃用具。
【請求項１２】
請求項８〜１１のいずれか１項に記載の清掃用具であって、
前記清掃シートが前記被装着体に取り付けられた状態で、前記被装着体の上面に対応する位置において、前記第２シートが前記第１シートに接合されている構成であることを特徴とする清掃用具。
【請求項１３】
請求項８〜１２のいずれか１項に記載の清掃用具であって、
前記被装着体は、上面に設けられた保持部を有し、
前記清掃シートは、前記保持部に対して着脱可能に保持される構成であることを特徴とする清掃用具。
【発明の詳細な説明】
【技術分野】
【０００１】
本発明は、清掃対象を清掃するための被装着体に着脱可能な清掃シート、および当該清掃シートと被装着体からなる清掃用具に関する。
【背景技術】
【０００２】
特開平６−３１１９５４号公報には、シート状の清掃エレメントが着脱自在に装着される清掃用具が記載されている。当該清掃用具としてのモップのベース本体は、保持部とベース体を有している。そして、ベース体の底面に清掃エレメントが装着されるように構成されている。このベース体は、底面の中央部が凸形状に形成されている。これにより、清掃エレメントをベース体に装着して被清掃体に対して清掃動作を行う際に、ベース体底面の周縁部では、清掃エレメントが被清掃体から離隔して配置される。そのため、ベース体底面の周縁部だけでなく、中央部に対応する位置に装着された清掃エレメントも汚れを捕集することができ、清掃エレメントの捕集効率が向上されている。
【先行技術文献】
【特許文献】
【０００３】
【特許文献１】特開平６−３１１９５４号公報
【発明の概要】
【発明が解決しようとする課題】
【０００４】
しかしながら、特開平６−３１１９５４号公報に記載された清掃用具は、清掃エレメントは、ベース体の幅とほぼ同じ幅で保持されるため、ベース体の外側においては、舞い上がった塵やほこりなどを捕集することができない。舞い上がった塵やほこりは、ベース体の上側に配置された保持部やユーザに把持される柄に吸着し、当該保持部や柄が汚れてしまう。そこで、本発明は、上記に鑑み、清掃効率を向上させることができる清掃シート、および当該清掃シートが装着された清掃用具を提供することを目的とする。
【課題を解決するための手段】
【０００５】
上記課題を解決するため、本発明に係る清掃シートの好ましい形態によれば、被装着体に着脱可能に構成されている。そして、当該清掃シートは、被装着体に取り付けられた状態で、被装着体の底面に対応して配置される清掃部と、底面から離隔し、底面に平行な第１方向に沿って被装着体の側部から突出して配置される突出部を有する構成である。
【０００６】
本発明によれば、清掃シートは、底面から離隔し、被装着体の側部から突出して配置される突出部を有しているため、清掃時に舞い上がった塵やほこり等のごみを突出部で捕捉することができる。すなわち、舞い上がったごみが被装着体の上面等に付着することを抑制することができる。さらに、被清掃領域に当接する清掃部と、突出部との間にごみを捕捉するための空間が形成されるため、当該空間でごみを保持することができる。なお、被装着体の側部とは、被装着体の側面や、当該側面と上面の境界部分を含む概念である。本発明においては、突出部が被装着体の側面から被装着体の外部に向けて突出していることが好ましい。
【０００７】
本発明に係る清掃シートの更なる形態によれば、突出部は、第１方向に延在する複数の長尺部を有する構成である。
【０００８】
本形態によれば、突出部は複数の長尺部を有する。そのため、それぞれの長尺部は独立に可動することで、舞い上がったより広範囲のごみを捕捉することができる。
【０００９】
本発明に係る清掃シートの更なる形態によれば、突出部である長尺部は、短冊状に形成されている。また、短冊形状の少なくとも一方の側部は、ジグザグ形状に形成されていることが好ましい。
【００１０】
本形態によれば、突出部は、複数の短冊形状に形成されているため、突出部の外周の長さを長くすることができる。さらに、短冊形状の側部がジグザグ形状に形成されているため、短冊形状の外周の長さを長くすることができる。すなわち、突出部がより多くのごみを捕捉することができる。
【００１１】
本発明に係る清掃シートの更なる形態によれば、清掃シートは１枚のシートから構成されており、当該シートには、切り込み線が形成されている。そして、突出部は、シートの切り込み線で囲まれる内側部分が、切り込み線の外側部分から分離されて構成されている。
【００１２】
本形態によれば、切り込み線が形成されていることで、清掃シートとして、１枚のシートから清掃部と突出部を形成することができる。すなわち、１枚のシートを効率的に清掃シートとして機能させることができる。
【００１３】
本発明に係る清掃シートの更なる形態によれば、清掃部を構成する第１シートと、突出部を構成する第２シートを有する構成である。また、突出部のカンチレバー剛軟度は５０ｍｍ以上１５０ｍｍ以下であることが好ましい。なお、第２シートは、第１シートの剛性よりも高い剛性を有する材料で形成されていることが好ましい。
【００１４】
本形態によれば、第１シートと第２シートの２つのシートで構成されているため、第１シートと第２シートを接合することで、清掃部と突出部を構成することができる。また、第１シートは剛性の低い材料で構成されているため、被清掃領域に対する拭き取り性能を確保することができる。
【００１５】
本発明に係る清掃用具の好ましい形態によれば、請求項１〜７のいずれか１項に記載された清掃シートが着脱可能に取り付けられる被装着体と、被装着体に連接され、ユーザに把持される把持部とを有する清掃シート保持具と、被装着体に取り付けられた清掃シートとを備えた清掃用具である。
【００１６】
本発明によれば、清掃シートが被装着体に保持されることで、清掃効率が向上された清掃用具を提供することができる。
【００１７】
本発明に係る清掃用具の更なる形態によれば、把持部は、被装着体に連接された連接部と、連接部と反対側の先端部とを有する。当該把持部は、先端部が被装着体に対して被装着体の底面に平行な第２方向に相対移動することで、連接部を支点として被装着体に対して旋回可能に構成されている。そして、清掃用具は、清掃シートが被装着体に取り付けられた状態で、被装着体が第２方向に沿って移動することで、被清掃領域に対して清掃作業が行われる構成である。さらに、清掃シートの突出部が突出する第１方向と、被装着体が移動する第２方向が一致するように構成されている。
【００１８】
本形態によれば、被清掃体の進行方向である第２方向と、突出部が突出する第１方向が一致している。そのため、清掃用具と使って清掃作業を行う際に、進行方向の前方あるいは後方において舞い上がる塵やほこりを突出部によって確実に捕捉することができる。
【００１９】
本発明に係る清掃シートの更なる形態によれば、被装着体は、第２方向と交差する第１の側面と、第１の側面に対向する第２の側面を有する。そして、清掃シートが被装着体に取り付けられた状態で、突出部は、第１の側面から突出して配置される第１突出部と、第２の側面から突出して配置される第２突出部の少なくとも一方の突出部を有する構成である。このような突出部は、清掃シートが被装着体に取り付けられた状態で、被装着体の側面から当該突出部の先端までの離隔距離が１０ｍｍ以上５０ｍｍ以下であることが好ましい。なお、突出部は、第１突出部と第２突出部のいずれか一方のみを有する態様、および第１突出部と第２突出部の両方を有する態様を好適に包含する。
【００２０】
本形態によれば、突出部は、第１突出部と第２突出部のうちの少なくとも一方の突出部を有する。そして、第１突出部と第２突出部が、それぞれ第１の側面と第２の側面から突出するように構成されているため、清掃作業を行う際に、被装着体を第２方向に移動させることで、突出部がごみを捕捉することができる。さらに、被装着体の側面から当該突出部の先端までの離隔距離を適宜設定することで、壁際等を清掃する際に清掃動作を阻害することなく、突出部によるごみの捕捉性能を確保することができる。なお、突出部が第１突出部と第２突出部の両方を有する場合には、被装着体を第２方向のうちいずれの方向に移動させても、突出部がごみを捕捉することができる。すなわち、清掃作業の清掃効率を向上させることができる。
【００２１】
本発明に係る清掃用具の更なる形態によれば、当該清掃シートが被装着体に取り付けられた状態で、被装着体の上面に対応する位置において、第２シートが第１シートに接合されている。
【００２２】
本形態によれば、当該清掃シートが被装着体に取り付けられた状態における被装着体の上面に対応する位置で、第２シートが第１シートに接合されているため、清掃シートを被装着体に装着することで、第２シートに形成された突出部を被装着体の側面から突出させることができる。
【００２３】
本発明に係る清掃用具の更なる形態によれば、被装着体は、上面に設けられた保持部を有する。そして、清掃シートは保持部に対して着脱可能に保持されるように構成されている。
【００２４】
本形態によれば、清掃シートは、被装着体の上面で被装着体に対して着脱されるため、被清掃体に接する清掃部と異なる位置に配置される。そのため、被装着体の保持部は、ごみが付着しにくい構成となる。これにより、清掃シートを被装着体に対して着脱する際に、ユーザが清掃シートの汚れた部分を把持して被清掃体の保持部に対して着脱させる必要がない。すなわち、清掃シートの着脱作業を効率よく行うことができる。
【発明の効果】
【００２５】
本発明によれば、清掃効率を向上させることができる清掃シート、および当該清掃シートが装着された清掃用具を提供する
【図面の簡単な説明】
【００２６】
【図１】本発明の第１実施形態に係る清掃用具の全体構成を示す斜視図である。
【図２】清掃シートが装着される状態を示すヘッドの上面図である。
【図３】清掃シートの平面図である。
【図４】図２のIV‐IV線における断面図である。
【図５】本発明の第２実施形態に係る清掃シートの平面図である。
【図６】本発明の第２実施形態に係る図４相当の断面図である。
【図７】本発明の第３実施形態に係る清掃シートの平面図である。
【図８】本発明の第３実施形態に係る図４相当の断面図である。
【発明を実施するための形態】
【００２７】
（第１実施形態）
本発明の第１実施形態に係る清掃用具について図１〜図４を参照しつつ説明する。清掃用具１００を用いて清掃される被清掃領域としては、典型的には一戸建て、マンション、ビル、工場、車両等の室内、室外、屋外等における床面や壁面などが挙げられる。これら各種の被清掃面は、平面として構成されてもよいし、或いは曲面、凹凸面、段差面として構成されてもよい。図１に示すように、この清掃用具１００は、ヘッド１１０およびパイプ１２０からなる清掃シートホルダ１０１と清掃シート２００を主体として構成されている。この清掃シートホルダ１０１が、本発明における「清掃シート保持具」に対応する実施構成例である。
【００２８】
図１に示すように、ヘッド１１０は、略直方体形状の部材であり、下面に平面状の清掃面を有する構成である。ヘッド１１０は、清掃面と反対の上面にパイプ１２０に接続される接続部１１１が形成されている。さらに、図２に示すように、ヘッド１１０の上面には、清掃シート２００を保持するためのシート係止部１１２が形成されている。シート係止部１１２は、スリット部１１３を有している。このスリット部１１３に清掃シート２００が挿入されることで、スリット部１１３が清掃シート２００に係合して、清掃シート２００を保持するように構成されている。なお、シート係止部１１２としては、スリット１１３が形成されている構成に限られず、清掃シート２００を挟持可能なクランプ部材を有する構成であってもよい。また、清掃シート２００に貫通して清掃シート２００を保持する貫通部材を有する構成であってもよい。このヘッド１１０が、本発明における「被装着体」に対応する実施構成例である。また、シート係止部１１２が、本発明における「保持部」に対応する実施構成例である。
【００２９】
図１に示すように、パイプ１２０は、ヘッド１１０に接続される長尺状の部材である。このパイプ１２０は、パイプ部材１２１、連結部１２２、接続部１２３およびハンドル１２４を主体として構成されている。複数のパイプ部材１２１は、連結部１２２において連結されることによって一体に構成されている。このパイプ部材１２１は、必要に応じて連結部１２２における連結を解除することによって、それぞれのパイプ部材１２１に分割することが可能である。接続部１２３は、パイプ１２０の一端側に設けられており、ヘッド１１０の接続部１１１に対して旋回可能に接続されている。また、ハンドル１２４は、パイプ１２０の他端側に配置されている。以上の構成により、パイプ１２０は、ハンドル１２４がヘッド１１０に対して図１の矢印Ａの方向に相対移動することで、接続部１２３を支点として、矢印Ｂの方向に旋回可能に構成されている。このパイプ１２０が、本発明における「把持部」に対応する実施構成例である。また、接続部１２３、ハンドル１２４がそれぞれ、本発明における「連接部」、「先端部」に対応する実施構成例である。また、矢印Ａに対応する方向が、本発明における「第２方向」に対応する実施構成例である。
【００３０】
清掃シート２００は、拭き清掃において清掃対象である被清掃面上の汚れを拭き取るシート状の清掃体である。図２に示すように、清掃シート２００は、ヘッド１１０の係合部１１２に保持されることで、ヘッド１１０の上面、側面および下面に渡って装着される構成である。この清掃シート２００が、本発明における「清掃シート」に対応する実施構成例である。
【００３１】
図３に示すように、清掃シート２００は、第１シート２１０と第２シート２２０を主体として構成されている。
【００３２】
第１シート２１０は、典型的には、熱可塑性繊維からなるシート状の不織布で構成されている。ここでいう熱可塑性繊維としては、ポリエチレン、ポリプロピレン、ポリエチレンテレフタレート等を使用することができる。この不織布としては、エアースルー法、スパンボンド法、サーマルボンド法、スパンレース法、ポイントボンド法、メルトブロー法、ステッチボンド法、ケミカルボンド法、ニードルパンチ法等により製造されたものを適宜使用することができる。なお、第１シート２１０は、不織布に代えて或いは加えて、ウレタン、スポンジ、織布、ネット、ワリフなどの素材を加工したものを用いてもよい。
【００３３】
第２シート２２０は、接合部２２１と短冊形状部２２２を主体として構成されている。図３に示すように、第２シート２２０は、第１シート２１０に対して２箇所に設けられており、接合部２２１において第１シート２１０と接合されている。この第１シート２１０と第２シート２２０の接合には、熱融着や接着剤による接着などを用いることができる。
【００３４】
接合部２２１は、略矩形の長尺形状であり、第１シート２１０に対して所定方向（図３の上下方向）に延在して接合されている。短冊形状部２２２は、接合部２２１の長手方向に交差する方向（図３の左右方向）に延在している。この短冊形状部２２２は、それぞれの接合部２２１に対して複数設けられている。一方の接合部２２１に設けられた短冊形状部２２２と、他方の接合部２２１に設けられた短冊形状部２２２とは、互いに対向するように配置されている。すなわち、短冊形状部２２２は、それぞれの接合部２２１から清掃シート２００の内側に向かって延在するように配置されている。この短冊形状部２２２の側部はジグザグ形状に形成されている。
【００３５】
この第２シート２２０は、第１シート２１０と同様に、熱溶融性繊維からなるシート状の不織布で構成されている。なお、第２シート２２０は、第１シート２１０と同じ材質の不織布で構成されていてもよく、異なる材質の不織布で構成されていてもよい。
【００３６】
例えば、第２シートは、芯がＰＥＴ（ポリエチレンテレフタラート）からなり、鞘がＰＥ（ポリエチレン）からなる芯鞘構造の複合繊維で構成されたスパンボンド不織布である。この第２シートの坪量は、５０ｇｓｍである。当該第２シートは、第１シートの剛性よりも高い剛性を有することが好ましい。上記材料で形成された第２シート２２０で構成される短冊形状部２２２は、カンチレバー法によるカンチレバー剛軟度が９７ｍｍである。なお、カンチレバー剛軟度は、ＪＩＳＬ１０８５に準拠し、短冊形状部２２２のサンプルとして、幅２５ｍｍ、長さ２００ｍｍの第２シートを速度５ｍｍ／ｓｅｃにて測定した。なお、短冊形状部２２２のカンチレバー剛軟度としては、２０ｍｍ以上であればよく、好ましくは、５０ｍｍ以上１５０ｍｍ以下である。
【００３７】
次に、図４を参照して、清掃シート２００がヘッド１１０に保持された状態について説明する。なお、図４においては、説明の便宜上パイプ１２０の図示を省略する。
【００３８】
清掃シート２００は、図２に示すようにヘッド１１０のシート係止部１１２に保持されることで、図４に示すように、ヘッド１１０の上面１１０ａ、側面１１０ｂ１，１１０ｂ２および下面１１０ｃに渡って装着される。清掃シート２００は、第１シート２１０の清掃領域２１１がヘッド１１０の下面１１０ｃに対向して配置される。ヘッド１１０の下面１１０ｃが、本発明における「被装着体の底面」に対応する実施構成例であり、清掃シート２００における第１シート２１０の清掃領域２１１が、本発明における「清掃部」に対応する実施構成例である。また、ヘッド１１０に装着された清掃シート２００を含めた形態の清掃用具１００が、本発明における「清掃用具」に対応する実施構成例である。
【００３９】
図４に示すように、第２シート２２０は、清掃シート２００がヘッド１１０に取り付けられた状態において、ヘッド１１０の上面１１０ａに対向して配置される。すなわち、第２シート２２０の接合部２２１は、ヘッド１１０の上面１１０ａに配置され、第２シート２２０の短冊形状部２２２は、ヘッド１１０から突出して配置される。すなわち、短冊形状部２２２の基端部は、ヘッド１１０上面１１０ａに固定され、短冊形状部２２２の先端部は、ヘッド１１０の側面１１０ｂ１，１１０ｂ２から突出して配置される。この短冊形状部２２２の基端部は、ヘッド１１０の下面１１０ｃからＨ１上方に配置され、短冊形状部２２２の先端部は、矢印Ａの方向に関して、ヘッド１１０の側面１１０ｂ１，１１０ｂ２から所定距離Ｌ１離隔して配置されている。これにより、ヘッド１１０の側面１１０ｂ１，１１０ｂ２の近傍にヘッド１１０と短冊形状部２２２で囲まれた空間Ｓが形成される。この矢印Ａに対応する方向が、本発明における「第１方向」に対応する実施構成例である。すなわち、短冊形状部２２２の突出方向と、清掃時におけるヘッド１１０の進行方向が一致している。
【００４０】
ヘッド１１０の上面から突出する短冊形状部２２２に関する所定距離Ｌ１については、例えば、ヘッド１１０の高さが２０ｍｍの場合には、所定距離Ｌ１は、５ｍｍ以上１００ｍｍ以下であることが好ましく、さらには、１０ｍｍ以上５０ｍｍ以下の範囲であることが望ましい。すなわち、ヘッド１１０の高さの略０．５倍から略５倍であることが望ましい。言い換えると、短冊形状部２２２がヘッド１１０の側面１１０ｂ１，１１０ｂ２から突出する長さは、ヘッド１１０の下面からの高さおよび短冊形状部２２２の自重や曲げ剛性に応じて、適宜設定することが好ましい。なお、短冊形状部２２２のそれぞれの幅は、ごみの捕捉能力の観点から０．５ｍｍ以上であることが好ましい。この短冊形状部２２２が、本発明における「突出部」に対応する実施構成例である。また、ヘッド１１０の側面１１０ｂ１，１１０ｂ２がそれぞれ、本発明における「第１の側面」、「第２の側面」に対応する実施構成例である。
【００４１】
（第２実施形態）
次に、本発明の第２実施形態に係る清掃用具について図５、図６を参照しつつ説明する。第２実施形態においては、清掃シート３００が第１実施形態と異なる。その他の構成は、第１実施形態と同様であり、便宜上説明を省略する。
【００４２】
図５に示すように、清掃シート３００は、１枚のシート３１０で構成されている。この清掃シート３００が、本発明における「清掃シート」に対応する実施構成例である。また、シート３１０が、本発明における「シート」に対応する実施構成例である。
【００４３】
第２実施形態においては、シート３１０に対して、複数の切り込み線３２１が形成されている。この切り込み線３２１は、ジグザグ状に形成されている。そして、短冊形状部３２２は、切り込み線３２１によって切り離された切り込み線３２１の内側部分によって構成されている。この切り込み線３２１が、本発明における「切り込み線」に対応する実施構成例である。
【００４４】
図６に示すように、清掃シート３００がヘッド１１０に装着されると、清掃シート３００の清掃領域３１１がヘッド１１０の下面１１０ｃに対向して配置される。また、短冊形状部３２２は、ヘッド１１０の側面１１０ｂ１，１１０ｂ２から突出して配置される。すなわち、短冊形状部３２２の基端部は、ヘッド１１０上面１１０ａに固定され、短冊形状部３２２の先端部は、ヘッド１１０の側面１１０ｂ１，１１０ｂ２から突出して配置される。この短冊形状部３２２の基端部は、ヘッド１１０の下面１１０ｃからＨ２上方に配置され、短冊形状部３２２の先端部は、矢印Ａの方向に関して、ヘッド１１０の側面１１０ｂ１，１１０ｂ２から所定距離Ｌ２離隔して配置されている。これにより、ヘッド１１０の側面１１０ｂ１，１１０ｂ２の近傍にヘッド１１０と短冊形状部２２２で囲まれた空間Ｓが形成される。この矢印Ａに対応する方向が、本発明における「第１方向」に対応する実施構成例である。
【００４５】
短冊形状部３２２がヘッド１１０の側面１１０ｂ１，１１０ｂ２から突出する長さＬ２は、第１実施形態と同様に、ヘッド１１０の下面からの高さおよび短冊形状部３２２の自重や曲げ剛性に応じて、適宜設定することが好ましい。なお、短冊形状部３２２のそれぞれの幅は、ごみの捕捉能力の観点から０．５ｍｍ以上であることが好ましい。
【００４６】
また、短冊形状部３２２は、第１実施形態と同様に、短冊形状部３２２のカンチレバー剛軟度としては、２０ｍｍ以上であればよく、好ましくは、５０ｍｍ以上１５０ｍｍ以下である。
【００４７】
第２実施形態においては、シート３１０に切り込み線３２１を形成するだけで、短冊形状３２２を形成することができる。すなわち、清掃シート３００をヘッド１１０に装着することで、短冊形状部３２２がヘッド１１０の側面１１０ｂ１，１１０ｂ２から突出して配置される。したがって、清掃部を構成するシート３１０の清掃領域３１１と別体のシートを用いることなく、短冊形状部３２２を形成することができる。言い換えると、清掃シート３００を１枚のシート３１０で形成することができる。
【００４８】
（第３実施形態）
次に、本発明の第３実施形態に係る清掃用具について図７、図８を参照しつつ説明する。第３実施形態においては、清掃シート４００が第１実施形態と異なる。その他の構成は、第１実施形態と同様であり、便宜上説明を省略する。
【００４９】
図７に示すように、清掃シート４００は、第１シート４１０と第２シート４２０を主体として構成されている。この清掃シート４００が、本発明における「清掃シート」に対応する実施構成例である。
【００５０】
第３実施形態においては、清掃シート４００において、一方の接合部４２１に設けられた短冊形状部４２２と、他方の接合部４２１に設けられた短冊形状部４２２とは、互いに反対側に向かって延在するように配置されている。すなわち、短冊形状部４２２は、それぞれの接合部４２１から清掃シート４００の外側に向かって延在するように配置されている。
【００５１】
そして、図８に示すように、第２シート４２０は、清掃シート４００がヘッド１１０に取り付けられた状態において、ヘッド１１０の側面１１０ｂ１，１１０ｂ２に対向して配置される。すなわち、第２シート４２０の接合部４２１は、ヘッド１１０の側面１１０ｂ１，１１０ｂ２に配置され、第２シート４２０の短冊形状部４２２は、ヘッド１１０から突出して配置される。すなわち、短冊形状部４２２は、短冊形状部４２２の自重によってヘッド１１０の側面１１０ｂ１，１１０ｂ２から突出して配置される。すなわち、短冊形状部４２２の基端部は、ヘッド１１０側面１１０ｂ１，１１０ｂ２に固定され、短冊形状部４２２の先端部は、ヘッド１１０の側面１１０ｂ１，１１０ｂ２から突出して配置される。この短冊形状部４２２の基端部は、ヘッド１１０の下面１１０ｃからＨ３上方に配置され、短冊形状部４２２の先端部は、矢印Ａの方向に関して、ヘッド１１０の側面１１０ｂ１，１１０ｂ２から所定距離Ｌ３離隔して配置されている。これにより、ヘッド１１０の側面１１０ｂ１，１１０ｂ２の近傍にヘッド１１０と短冊形状部４２２で囲まれた空間Ｓが形成される。この矢印Ａに対応する方向が、本発明における「第１方向」に対応する実施構成例である。
【００５２】
ヘッド１１０の上面から突出する短冊形状部４２２に関する所定距離Ｌ３については、例えば、ヘッド１１０の下面から、短冊形状部４２２の基端部までの高さＨ３が２０ｍｍの場合に、所定距離Ｌ３は、５ｍｍ以上１００ｍｍ以下であることが好ましく、さらには、１０ｍｍ以上５０ｍｍ以下の範囲であることが望ましい。すなわち、ヘッド１１０の下面から、短冊形状部４２２と接合部４２１の境界までの高さＨ３の略０．５倍から略５倍であることが望ましい。言い換えると、短冊形状部４２２がヘッド１１０の側面１１０ｂ１，１１０ｂ２から突出する長さは、高さＨ３および短冊形状部４２２の自重や曲げ剛性に応じて、適宜設定することが好ましい。なお、短冊形状部４２２のそれぞれの幅は、ごみの捕捉能力の観点から０．５ｍｍ以上であることが好ましい。この短冊形状部４２２が、本発明における「突出部」に対応する実施構成例である。また、ヘッド１１０の側面１１０ｂ１，１１０ｂ２がそれぞれ、本発明における「第１の側面」、「第２の側面」に対応する実施構成例である。
【００５３】
また、短冊形状部４２２は、第１実施形態と同様に、短冊形状部４２２のカンチレバー剛軟度としては、２０ｍｍ以上であればよく、好ましくは、５０ｍｍ以上１５０ｍｍ以下である。
【００５４】
以上の各実施形態においては、清掃シート２００，３００，４００が装着されたヘッド１１０が被清掃領域を図１の矢印Ａの方向に移動することによって、当該被清掃領域の拭き清掃が行われる。清掃時において、短冊形状部２２２，３２２，４２２がヘッド１１０の側面１１０ｂ１，１１０ｂ２から突出して配置されているため、清掃時に舞い上がった塵やほこり等のごみを短冊形状部２２２，３２２，４２２で捕捉することができる。すなわち、舞い上がったごみがヘッド１１０の上面やパイプ１２０等に付着することを抑制することができる。
【００５５】
清掃時において、被清掃面の汚れ等は、清掃シート２００，３００，４００におけるヘッド１１０の下面に配置された清掃領域２１１，３１１，４１１で拭き取られる。一方で質量が軽い塵やほこり等は、ヘッド１１０の下面に配置された清掃領域２１１，３１１，４１１で拭き取られる前に、ヘッド１１０の側面に捕捉される。そのため、塵やほこり等は、ヘッド１１０の側面に堆積されることになる。そのため、本発明においては、舞い上がる塵やほこり等を捕捉するだけでなく、ヘッド１１０の側面に堆積されたごみをヘッド１１０の側面と短冊形状部２２２，３２２，４２２で囲まれた空間Ｓにおいて確実に捕捉することができる。
【００５６】
また、第１実施形態および第３実施形態によれば、第１シート２１０，４１０に対して第２シート２２０，４２０を接合することで、ヘッド１１０の側面から突出して配置される突出部である短冊形状部２２２，４２２を容易に形成することができる。また、第２シート２２０，４２０の短冊形状部２２２，４２２は、第１シート２１０，４１０を構成する不織布よりも剛性が高い材料で構成されている。すなわち、清掃部である第１シート２１０，４１０の清掃領域２１１，４１１は、剛性の低い不織布で構成されていることで被清掃領域に対する拭き取り性能を確保することができる。一方で、短冊形状部２２２，４２２は剛性の高い不織布で構成されていることで、短冊形状部２２２，４２２を確実にヘッド１１０の側面から突出させることができ、これにより、ヘッド１１０側面に堆積される質量の軽いごみを確実に捕捉することができる。
【００５７】
また、短冊形状部２２２、３２２、４２２は、カンチレバー剛軟度として、２０ｍｍ以上であるため、壁際等を清掃する際に清掃動作を阻害することなく、短冊形状部２２２、３２２、４２２によるごみの捕捉性能を確保することができる。
【００５８】
また、以上の各実施形態によれば、短冊形状部２２２，３２２，４２２の側部は、ジグザグ形状に形成されているため、短冊形状部２２２，３２２，４２２の外周の長さを長くすることができる。これにより、舞い上がったごみを効率よく捕捉することができる。
【００５９】
また、以上の各実施形態によれば、短冊形状部２２２，３２２，４２２は、ヘッド１１０の対向する２つの側面１１０ｂ１，１１０ｂ２から突出するように配置されている。これにより、清掃時にヘッド１１０をどちらの向きに移動させても、短冊形状部２２２，３２２，４２２が舞い上がったごみや、ヘッド１１０の側面に堆積されるごみを確実に捕捉することができる。
【００６０】
以上においては、短冊形状部２２２，３２２，４２２は、複数形成されていたが、ヘッド１１０の長さと略同じ幅の短冊形状部２２２，３２２，４２２が１つのみ形成されていてもよい。また、短冊形状部２２２，３２２，４２２は、ヘッド１１０の側面１１０ｂ１，１１０ｂ２のいずれの側面からも突出して形成されていたが、一方の側面からのみ突出するように構成されていてもよい。また、短冊形状部２２２，３２２，４２２は、ヘッド１１０のすべての側面から突出するように構成されていてもよい。
【００６１】
また、以上においては、清掃シート２００，３００，４００は、ヘッド１１０の上面に設けられたシート係止部１１２に対して着脱可能に構成されていたが、シート係止部１１２がヘッド１１０の側面に設けられており、ヘッド１１０の側面に形成されたシート係止部１１２に対して着脱可能に構成されていてもよい。
【００６２】
以上の発明の趣旨に鑑み、本発明に係る包装体は、下記の態様が構成可能である。
（態様１）
「被装着体に着脱可能な清掃シートであって、
当該清掃シートが前記被装着体に取り付けられた状態で、前記被装着体の底面に対応して配置される清掃部と、前記底面から離隔し、前記底面に平行な第１方向に沿って前記被装着体の側面から突出して配置される突出部を有することを特徴とする清掃シート。」
【００６３】
（態様２）
「態様１に記載の清掃シートであって、
前記突出部は、前記第１方向に延在する複数の長尺部を有することを特徴とする清掃シート。」
【００６４】
（態様３）
「態様２に記載の清掃シートであって、
前記長尺部は、短冊形状に形成されていることを特徴とする清掃シート。」
【００６５】
（態様４）
「態様３に記載の清掃シートであって、
前記短冊形状における少なくとも一方の側部は、ジグザグ形状に形成されていることを特徴とする清掃シート。」
【００６６】
（態様５）
「態様１〜４のいずれかに記載の清掃シートであって、
前記清掃シートは、１枚のシートから構成されており、
前記シートには、切り込み線が形成されており、
前記突出部は、前記シートの前記切り込み線で囲まれる内側部分が、前記切り込み線の外側部分から分離されて構成されていることを特徴とする清掃シート。」
【００６７】
（態様６）
「態様１〜４のいずれかに記載の清掃シートであって、
前記清掃部を構成する第１シートと、
前記突出部を構成する第２シートを有することを特徴とする清掃シート。」
【００６８】
（態様７）
「態様６に記載の清掃シートであって、
前記第２シートは、前記第１シートの剛性よりも高い剛性を有する材料で形成されていることを特徴とする清掃シート。」
【００６９】
（態様８）
「態様６または７に記載の清掃シートであって、
前記突出部は、カンチレバー剛軟度が５０ｍｍ以上１５０ｍｍ以下であることを特徴とする清掃シート。」
【００７０】
（態様９）
「態様１〜８のいずれか１項に記載の清掃シートが着脱可能に取り付けられる被装着体と、当該被装着体に連接され、ユーザに把持される把持部とを有する清掃シート保持具と、
前記被装着体に取り付けられた前記清掃シートと、を備えた清掃用具。」
【００７１】
（態様１０）
「態様９に記載の清掃用具であって、
前記把持部は、前記被装着体に連接された連接部と、当該連接部と反対側の先端部とを有し、前記先端部が前記被装着体に対して当該被装着体の底面に平行な第２方向に相対移動することで、前記連接部を支点として前記被装着体に対して旋回可能に構成されており、
当該清掃用具は、前記清掃シートが前記被装着体に取り付けられた状態で、前記被装着体が前記第２方向に沿って移動することで、被清掃領域に対して清掃作業が行われる構成であり、
前記清掃シートの前記突出部が突出する前記第１方向と、前記被装着体が移動する前記第２方向が一致していることを特徴とする清掃用具。」
【００７２】
（態様１１）
「態様１０に記載の清掃用具であって、
前記被装着体は、前記第２方向と交差する第１の側面と、当該第１の側面に対向する第２の側面を有し、
前記清掃シートが前記被装着体に取り付けられた状態で、前記突出部は、前記第１の側面から突出して配置される第１突出部と、前記第２の側面から突出して配置される第２突出部の少なくとも一方の突出部を有する構成であることを特徴とする清掃用具。」
【００７３】
（態様１２）
「態様１１に記載の清掃用具であって、
前記突出部は、前記第１突出部と前記第２突出部の両方の突出部を有することを特徴とする清掃用具。」
【００７４】
（態様１３）
「態様１１または１２に記載の清掃用具であって、
前記清掃シートが前記被装着体に取り付けられた状態で、前記突出部の先端は、当該突出部に対応する前記被装着体の側面から前記第１方向における離間距離が１０ｍｍ以上５０ｍｍ以下であることを特徴とする清掃用具。」
【００７５】
（態様１４）
「態様９〜１３のいずれかに記載の清掃用具であって、
前記清掃シートが前記被装着体に取り付けられた状態で、前記被装着体の上面に対応する位置において、前記第２シートが前記第１シートに接合されている構成であることを特徴とする清掃用具。」
【００７６】
（態様１５）
「態様９〜１４のいずれかに記載の清掃用具であって、
前記被装着体は、上面に設けられた保持部を有し、
前記清掃シートは、前記保持部に対して着脱可能に保持される構成であることを特徴とする清掃用具。」
【００７７】
（態様１６）
「態様９に記載の清掃用具であって、前記突出部が突出する前記第１方向は、清掃時における前記被装着体の進行方向と一致しており、これにより、前記突出部は、前記被装着体の進行方向に向かって前記被装着体から突出して配置されていることを特徴とする清掃用具。」
【００７８】
（態様１７）
「被装着体に着脱可能な清掃シートの製造方法であって、
当該清掃シートは、１枚のシートから形成されており、前記被装着体に取り付けられた状態で、前記被装着体の底面に対応して配置される清掃部と、前記底面から離隔し、前記底面に平行な第１方向に沿って前記被装着体の側面から突出して配置される突出部を有する構成であり、
前記シートを形成する第１工程と、
前記シートに、切り込み線を形成する第２工程と、
前記切り込み線で囲まれる内側部分を前記突出部として前記切り込み線の外側部分から分離させる第３工程とを備えることを特徴とする清掃シートの製造方法。」
【００７９】
（態様１８）
「清掃シートと、
前記清掃シートを保持する清掃シート保持具と、を備えた清掃用具の製造方法であって、
前記清掃シート保持具は、前記清掃シートが取り付けられる被装着部を有する構成であり、
前記清掃シートは、１枚のシートから形成されており、前記被装着体に取り付けられた状態で、前記被装着体の底面に対応して配置される清掃部と、前記底面から離隔し、前記底面に平行な第１方向に沿って前記被装着体の側面から突出して配置される突出部を有する構成であり、
前記清掃シート保持具を形成する第１工程と、
前記シートを形成する第２工程と、
前記シートに、切り込み線を形成する第３工程と、
前記シートを前記被装着体に取り付ける第４工程とを備え、
前記第４工程において、前記シートを前記被装着体に取り付ける際に、前記切り込み線で囲まれる内側部分が前記突出部として、前記切り込み線の外側部分から分離されることを特徴とする清掃用具の製造方法。」
【００８０】
（実施形態の各構成要素と本発明の各構成要素の対応関係）
以上の実施形態は、本発明を実施するための形態の一例を示すものである。したがって、本発明は、本実施形態の構成に限定されるものではない。なお、本実施形態の各構成要素と本発明の各構成要素の対応関係を以下に示す。
清掃シート２００，３００，４００は、本発明の「清掃シート」に対応する構成の一例である。
清掃シートホルダ１０１が、本発明における「清掃シート保持具」に対応する構成の一例である。
ヘッド１１０が、本発明における「清掃シート保持具」に対応する構成の一例である。
パイプ１２０が、本発明における「清掃シート保持具」に対応する構成の一例である。
ヘッド１１０は、本発明の「被装着体」に対応する構成の一例である。
ヘッド１１０の下面１１０ｃが、本発明における「被装着体の底面」に対応する構成の一例である。
ヘッド１１０の上面１１０ａが、本発明における「被装着体の上面」に対応する構成の一例である。
ヘッド１１０の側面１１０ｂ１，１１０ｂ２が、本発明における「被装着体の側面」に対応する構成の一例である。
ヘッド１１０の側面１１０ｂ１が、本発明における「第１の側面」に対応する構成の一例である。
ヘッド１１０の側面１１０ｂ２が、本発明における「第２の側面」に対応する構成の一例である。
シート係止部１１２は、本発明の「保持部」に対応する構成の一例である。
パイプ１２０が、本発明における「把持部」に対応する構成の一例である。
接続部１２３が、本発明における「連接部」に対応する構成の一例である。
ハンドル１２４が、本発明における「先端部」に対応する構成の一例である。
矢印Ａに対応する方向が、本発明における「第１方向」に対応する構成の一例である。
矢印Ａに対応する方向が、本発明における「第２方向」に対応する構成の一例である。
清掃シート２００，３００，４００の清掃領域２１１，３１１，４１１は、本発明の「清掃部」に対応する構成の一例である。
短冊形状部２２２，３２２，４２２は、本発明の「突出部」に対応する構成の一例である。
短冊形状部２２２，３２２，４２２は、本発明の「長尺部」に対応する構成の一例である。
第１シート２１０，４１０は、本発明の「第１シート」に対応する構成の一例である。
第２シート２２０，４２０は、本発明の「第２シート」に対応する構成の一例である。
シート３１０は、本発明における「シート」に対応する構成の一例である。
切り込み線３２１は、本発明における「切り込み線」に対応する構成の一例である。
【符号の説明】
【００８１】
１００  清掃用具
１０１  清掃シートホルダ
１１０  ヘッド
１１０ａ  上面
１１０ｂ１，１１０ｂ２  側面
１１０ｃ  下面
１１１  接続部
１１２  シート係止部
１１３  スリット部
１２０  パイプ
１２１  パイプ部材
１２２  連結部
１２３  接続部
１２４  ハンドル
２００，３００，４００  清掃シート
２１０，４１０  第１シート
２１１，３１１，４１１  清掃領域
２２０，４２０  第２シート
２２１，４２１  接合部
２２２，３２２，４２２  短冊形状部
３１０  シート
３２１  切り込み線
【図１】
2013255710.tif 000003
【図２】
2013255710.tif 000004
【図３】
2013255710.tif 000005
【図４】
2013255710.tif 000006
【図５】
2013255710.tif 000007
【図６】
2013255710.tif 000008
【図７】
2013255710.tif 000009
【図８】
2013255710.tif 000010